(57)【特許請求の範囲】
【請求項１】
路面に設置される支柱と、該支柱の上端において角度調節自在に固定される支持アームと、該支持アームの先端に架設された手摺棒とからなり、該支持アームは、支柱の上端と手摺棒の両端部近傍とを連結する２本の連結アームを有し、前記支柱の上端に保持ブラケットを設けるとともに、前記連結アームの基部にジョイントブラケットを設け、該保持ブラケットとジョイントブラケットとを任意の角度で嵌合し、これら両ブラケットを螺子によって固定することを特徴とする手摺装置。
【請求項２】
前記２本の連結アームが「Ｖ」字状に形成されていることを特徴とする請求項１記載の手摺装置。
【請求項３】
前記保持ブラケット又はジョイントブラケットの何れか一方に、回転中心となる回転軸用貫通孔を形成するとともに、該回転軸用貫通孔を中心とする円周上に複数の角度調節用貫通孔を形成し、該他方のブラケットを介して回転軸用貫通孔に螺子を挿通することによりジョイントブラケットを保持ブラケットに回動自在に固定するとともに、該他方のブラケットを介して任意の角度調節用貫通孔に螺子を挿通することによりジョイントブラケットを保持ブラケットに対して任意の角度に固定することを特徴とする請求項１記載の手摺装置。
【請求項４】
前記手摺棒が、全体又は少なくとも一部が円弧状に形成されている請求項１、２又は３記載の手摺装置。
【発明の詳細な説明】
【技術分野】
【０００１】
本発明は、階段、傾斜地の通路に沿って設置される手摺装置に関し、さらに詳しくは、住宅の玄関アプローチ等に設けられた段数の少ない階段に設置される手摺装置に関するものである。
【背景技術】
【０００２】
一般に、住宅の玄関アプローチにおいては、玄関の直前近傍に２〜３段からなる段数の少ない階段を設けることが多く、このような階段の側部には、通常、手摺装置が設けられている。従来、このような手摺装置としては、階段の複数の段に支柱を立設するとともに、この複数の支柱の上端間に手摺棒を架設することにより構成していた（例えば、特許文献１、２参照。）。
【０００３】
【特許文献１】特開２００５−３１４９９０号公報
【特許文献２】特許第３８６５３８１号特許公報
【発明の開示】
【発明が解決しようとする課題】
【０００４】
しかしながら、上述した従来の手摺装置において手摺棒を架設するためには、少なくとも２本の支柱を設けることが必要であるので、複数の段に支柱を立設しなければならず、施工に手間が掛かるものであった。
【０００５】
また、従来の手摺装置においては、手摺棒は直線状に形成されたものを用いているので、階段の最上段の路面においても、手摺装置と一体に連結した路面用手摺装置を設ける場合、両手摺棒を滑らかに連結することが出来ず、施工上、使用上及び美感上好ましく無いものであった。すなわち、手摺装置と、最上段の路面に設けた路面用手摺装置とを一体に連結する際、直線状の手摺棒同士を連結することになるので、連結部分において階段の傾斜角度分だけ急激に曲がって角が生じ、略「へ」字状となるものであった。したがって、連結作業が面倒であり、また、高齢者等が手摺棒を支えとして階段を上るのに支障があり、さらに、両手摺棒間の一体感が損なわれるものであった。
【０００６】
また、滑らかに連結するには、階段の傾斜角度に対応した角度を持った円弧状の手摺棒を用意し、この円弧状の手摺棒を介して階段の手摺棒と最上段面の手摺棒とを連結すればよいが、円弧状の手摺棒を別途用意しなければならないので、施工に手間が掛かるとともに、高価になるものであった。
【０００７】
本発明は、以上の問題点を解決し、施工が極めて簡単な手摺装置を提供することを目的とし、また、階段の最上段の路面に設置する路面用手摺装置と連結する際、極めて簡単な施工で、滑らかに連結することが出来る手摺装置を提供することを目的とする。
【課題を解決するための手段】
【０００８】
請求項１記載の手摺装置は、路面に設置される支柱と、該支柱の上端において角度調節自在に固定される支持アームと、該支持アームの先端に架設された手摺棒とからなり、該支持アームは、支柱の上端と手摺棒の両端部近傍とを連結する２本の連結アームを有し、前記支柱の上端に保持ブラケットを設けるとともに、前記連結アームの基部にジョイントブラケットを設け、該保持ブラケットとジョイントブラケットとを任意の角度で嵌合し、これら両ブラケットを螺子によって固定することを特徴として構成されている。
【０００９】
請求項２記載の手摺装置は、請求項１記載の手摺装置において、２本の連結アームが「Ｖ」字状に形成されていることを特徴として構成されている。
【００１１】
請求項３記載の手摺装置は、請求項１記載の手摺装置において、保持ブラケット又はジョイントブラケットの何れか一方に、回転中心となる回転軸用貫通孔を形成するとともに、該回転軸用貫通孔を中心とする円周上に複数の角度調節用貫通孔を形成し、該他方のブラケットを介して回転軸用貫通孔に螺子を挿通することによりジョイントブラケットを保持ブラケットに回動自在固定するとともに、該他方のブラケットを介して任意の角度調節用貫通孔に螺子を挿通することによりジョイントブラケットを保持ブラケットに対して任意の角度に固定することを特徴として構成されている。
【００１２】
請求項４記載の手摺装置は、請求項１、２又は３記載の手摺装置において、手摺棒が、全体又は少なくとも一部が円弧状に形成されていることを特徴として構成されている。
【発明の効果】
【００１３】
請求項１記載の手摺装置によれば、支柱に２本の連結アームを有する支持アームを介して手摺棒を架設しているので、１本の支柱で手摺棒を設けることが出来る。したがって、１本の支柱を立設するだけでよいので、極めて簡単に手摺装置を施工することが出来る。さらに、手摺棒は、２本の連結アームで支柱に架設されているので、安定した状態で架設することが出来る。
【００１４】
また、支柱の上端において支持アームが角度調節自在に固定されるとともに、支持アームの先端に手摺棒が架設されているので、支持アームの角度を調節することにより、設置する階段の傾斜角度に対応した最適の角度で手摺棒を配置することが出来るとともに、路面用手摺装置と連結する際も簡単に位置合わせを行うことが出来る。さらに、保持ブラケットとジョイントブラケットとを任意の角度で嵌合した状態で螺子により固定しているので、極めて簡単に支持アームを支柱に取り付けることが出来るとともに、支持アームの支柱に対する角度を簡単に調節することが出来る。
【００１５】
請求項２記載の手摺装置によれば、２本の連結アームが「Ｖ」字状に形成されているので、手摺棒を安定して架設することが出来る。すなわち、階段を上がる際、手摺棒に手を掛けたとしても、手摺棒に作用する力の多くが連結アームの軸方向へ作用するので、手摺棒と連結アームとの連結部分において水平方向へ作用する力が小さく、手摺棒と連結アームの固定が安定している。また、両連結アームに作用した力は、連結アームの其端部において水平方向の成分は相殺されるので、支柱と連結アームとの固定が安定している。
【００１７】
請求項３記載の手摺装置によれば、保持ブラケット又はジョイントブラケットの何れか一方に形成された回転軸用貫通孔に挿通された螺子を中心としてジョイントブラケットが保持ブラケットに対して回動自在であるので、ジョイントブラケットを保持ブラケットに対して任意の角度に配置することが出来る。また、保持ブラケット又はジョイントブラケットの何れか一方に形成された角度調節用貫通孔に挿通された螺子により、ジョイントブラケットの保持ブラケットに対する回動が阻止され固定された状態となり、支持アームを支柱に対して任意の角度に固定することが出来る。さらに、螺子を挿通する角度調節用貫通孔を変更することにより、支持アームの支柱に対する角度を簡単に変更することが出来る。
【００１８】
請求項４記載の手摺装置によれば、手摺棒の全体又は少なくとも一部が円弧状に形成されているので、階段の最上段の路面に設置した路面用手摺装置の手摺棒に連結する際、角張ることなく滑らかに連結することが出来る。なお、手摺装置の手摺棒の連結部分（先端部分）は、直線状であっても、円弧状であってもよいが、直線状であったほうが施工が簡単である。また、連結用の手摺棒を別途用意する必要が無いので、連結作業が一度で済み施工が簡単であり、かつ経済的なものである。
【発明を実施するための最良の形態】
【００１９】
本発明の手摺装置においては、階段（傾斜地の場合は、その路面）に設置される支柱に、支持アームを介して手摺棒を設けており、１本の支柱のみで手摺棒を架設することが出来るものである。支持アームは、基端が支柱に固定されるとともに、先端に手摺棒が架設されるものであり、支柱の上端と手摺棒とを連結する２本の連結アームで構成されている。２本の連結アームは、全体形状として、直線状であっても、「Ｖ」字状であってもよく、「Ｖ」字状とした場合、手摺棒の長さにもよるが、連結アーム間の角度は８０度の前後数十度の範囲が好ましい。このような角度とすることにより、手摺棒と連結アームとの固定、及び連結アームと支柱との固定を安定させることが出来る。また、連結アームの形状は、直線状であっても、円弧状であっても、これらを組み合わせたものであってもよい。
【００２０】
手摺棒は、支持アームの２本の連結アームにより両端部近傍の２ヶ所において固定されており、その結果、１本の支柱に架設されている。手摺棒は、全体又は少なくとも一部が円弧状に形成されることが好ましい。円弧状に形成することにより、階段の最上段の路面に路面用手摺装置を連結して設置する際、最上段面の手摺棒と滑らかな状態で連結することが出来る。なお、この円弧状は、真円の他、楕円の円弧であってもよい。また、一部を円弧状とした場合、中央部分を円弧状とし、両側端部を直線状とすることが好ましい。
【００２１】
支柱の上端において角度調節自在に支持アームが固定されている。この角度調節自在に支持アームを固定する手段は、特に限定されず各種手段を採用することが出来る。例えば、支柱の上端に保持ブラケットを設けるとともに、連結アームの基部にジョイントブラケットを設け、該保持ブラケットとジョイントブラケットとを任意の角度で嵌合し、これら両ブラケットを螺子によって固定したり、保持ブラケット又はジョイントブラケットの何れか一方に、回転中心となる回転軸用貫通孔を形成するとともに、該回転軸用貫通孔を中心とする円周上に複数の角度調節用貫通孔を形成し、該他方のブラケットを介して回転軸用貫通孔に螺子を挿通することによりジョイントブラケットを保持ブラケットに回動自在固定するとともに、該他方のブラケットを介して任意の角度調節用貫通孔に螺子を挿通することによりジョイントブラケットを保持ブラケットに対して任意の角度に固定したりすることが出来る。
【００２２】
本発明の手摺装置は、階段、傾斜地等に設置することができ、特に、比較的短い階段、傾斜地に好適なものである。
【００２３】
本発明による手摺装置の一実施形態について図面を参照して説明する。
【００２４】
図１は手摺装置の正面図、図２は手摺装置の背面図、図３は手摺装置の左側面図、図４は手摺装置の支柱に設けられる保持ブラケットの正面図、図５は同上保持ブラケットの背面図、図６は同上保持ブラケットの右側面図、図７は同上保持ブラケットの平面図、図８は手摺装置の支持アームに設けられるジョイントブラケットの正面図、図９は同上ジョイントブラケットの右側面図、図１０は同上ジョイントブラケットの平面図、図１１は同上保持ブラケットとジョイントブラケットとを嵌合させた状態を示す図、図１２は手摺装置の支持アームに設けられる手摺棒用ブラケットの正面図、図１３は同上手摺棒用ブラケットの平面図、図１４は支持アームの角度を変更した例を示す図、図１５は手摺装置を路面用手摺装置と連結した状態を示す図である。
【００２５】
図１〜３において、符号Ｓは３段からなる階段で、この階段Ｓの２段目に手摺装置１が設置されている。この手摺装置１は、階段Ｓの側部に設置された支柱２０と、この支柱２０の上端において角度調節自在に固定された支持アーム３０と、この支持アーム３０に架設された手摺棒４０とで構成されている。支柱２０は、円筒状のアルミニウム形材で形成されており、アンカーボルトで階段Ｓに固定された基部２１に固着されるとともに、上端部において支持アーム３０を角度調節自在に固定するための保持ブラケット５０が設けられている。
【００２６】
支持アーム３０は、円筒状のアルミニウム形材で形成された２本の連結アーム３１を「Ｖ」字状に配置して構成されており、この２本の連結アーム３１の基端部において、前記支柱２０の保持ブラケット５０に回動自在に固定されるジョイントブラケット６０が設けられるとともに、上端部において、手摺棒４０を架設するための手摺棒用ブラケット７０が設けられている。手摺棒４０は、円筒状のアルミニウム形材で形成されており、その中央部分が上に凸の円弧状部４１となるとともに、その円弧状部４１の両側端部分において直線状部４２となっている。
【００２７】
保持ブラケット５０は、図４〜７に示すように、円盤状のキャップ５１が形成され、このキャップ５１の下面周縁部において２つの挿入片５２が対向して形成されている。この挿入片５２の上下方向の２ヶ所に螺子孔５３が形成され、また、挿入片５２の外周面に沿ってキャップ５１に段部５４が形成されている。この挿入片５２は、支柱２０の上端に挿入固定されるもので、支柱２０の上端が段部５４の下面に当接した状態で、支柱２０の外側より螺子を挿通し螺子孔５３に螺着するものである。
【００２８】
キャップ５１の上面には、２枚の保持片５５が対向して形成され、この保持片５５は上部が半円状に形成されている。そして、一方の保持片５５における半円状の中心に相当する個所にナット用孔５６ａが形成されるとともに、他方の保持片５５における同様の個所にボルト用孔５６ｂが形成されている。また、一方の保持片５５における半円状の中心の円周上に螺子孔５７ａが形成されるとともに、他方の保持片５５における同様の個所に螺子用貫通孔５７ｂが形成されている。すなわち、ナット用孔５６ａ及びボルト用孔５６ｂを中心とする円周上に螺子孔５７ａ及び螺子用貫通孔５７ｂが形成されている。さらに、２枚の保持片５５の間には、中心から外側へ向かって立上がった断面三角形状の係止片５８が形成されており、この係止片５８はジョイントブラケット６０の回動を阻止するものである。
【００２９】
ジョイントブラケット６０は、図８〜９に示すように、８０度の角度をもって「Ｖ」字状に配置された２本の連結管部６１が形成されており、これら２本の連結管部６１は、連結アーム３１に被嵌して一体に連結固定するためのものである。また、２本の連結管部６１は平板状のジョイント片６２を介して一体となっており、このジョイント片６２は、角部が略９０度の円弧状に形成されており、この円弧の中心に相当する部位に回転軸用貫通孔としてのボルト用貫通孔６３が形成されるとともに、このボルト用貫通孔６３を中心とした円周上に４個づつの角度調節用貫通孔としての螺子用貫通孔６４が少しの間隔を隔てて合計８個形成されている。そして、これらのボトル用貫通孔６３及び螺子用貫通孔６４の配置は、前記ナット用孔５６ａとボルト用孔５６ｂ及び螺子孔５７ａと螺子用貫通孔５７ｂと同一円周上の配置となっている。すなわち、図１１に示すように、保持ブラケット５０の保持片５５の間に、ナット用孔５６ａ及びボルト用孔５６ｂをボルト用貫通孔６３に一致させた状態で、ジョイント片６２を挿入した際、螺子孔５７ａと螺子用貫通孔６４とが一致するようになっている。また、連結管部６１の外側壁には、軸方向の２ヶ所において螺子孔６５が形成されている。
【００３０】
手摺棒用ブラケット７０は、図１２〜１３に示すように、連結アーム３１の上端に固定するための連結管部７１が形成されるとともに、手摺棒４０を受ける受け部７２が形成されている。連結管部７１は、連結アーム３１の内径と略同一長さの外径を持つように形成され、連結アーム３１の内部に挿入出来るようになっており、また、軸方向に２ヶ所において螺子孔７３が形成され、連結アーム３１の外側から螺子を螺着することにより固定出来るようになっている。受け部７２には、螺子用貫通孔７４が長手方向に２ヶ所に形成され、螺子用貫通孔７４を介して手摺棒４０の両端部近傍に形成した螺子孔に螺子を螺着することにより、手摺棒用ブラケット７０に手摺棒４０に固定出来るようになっている。
【００３１】
以上のような手摺装置を設置するには、予め補助ブラケット５０を固定した支柱２０と、ジョイントブラケット６０及び手摺棒用ブラケット７０を固定した支持アーム３０とを用意し、まず、支柱２０を階段Ｓに立設する。
【００３２】
次に、保持ブラケット５０の保持片５５の間にジョイントブラケット６０のジョイント片６２を挿入し、ボルト用貫通孔６３をナット用孔５６ａ及びボルト用孔５６ｂと一致するように配置し、ボルト及びナットによりジョイント片６２を保持片５５に取り付ける。このとき、保持ブラケット５０の螺子孔５７ａ及び螺子用貫通孔５７ｂと、ジョイントブラケット６０の螺子用貫通孔６４とは同一円周上に配置されているので、ジョイントブラケット６０を回動させることにより、任意の螺子用貫通孔６４を螺子孔５７ａ及び螺子用貫通孔５７ｂに一致させ、螺子を挿通螺着することによりジョイントブラケット６０の回動を阻止し固定することが出来る。したがって、手摺棒４０が、階段Ｓの傾斜角度に対応した最適な角度となるように、螺子孔５７ａ及び螺子用貫通孔５７ｂと一致させる螺子用貫通孔６４を選択すればよい。そして、連結アーム３１の先端に設けられている手摺棒ブラケット７０に手摺棒４０を載置するとともに、螺子により螺着し、手摺装置が完成する。
【００３３】
なお、本実施例においては、螺子用貫通孔６４は、２０度の角度を持って順次形成されているので、２０度刻みで支持アーム３０の角度を調整することができ、最大６０度の角度で調整出来るものである。したがって、階段Ｓの状況に対応して所望の最適な角度にすることができ、例えば、図１４に示すように、支持アーム３０の角度を簡単に変更することが出来るので、種々の形態の階段に対応することが出来る。
【００３４】
また、階段Ｓの最上段の路面Ｆに連続して路面用手摺装置を設置する場合は、図１５に示すように、手摺装置１の手摺棒４０の端部を、路面用手摺装置９の手摺棒９１の端部に連結することにより、手摺装置１と路面用手摺装置９とを一体化することが出来る。このとき、手摺装置１の手摺棒４０の端部は直線部４２となっているので、路面用手摺装置９の手摺棒９１と連結する部分は直線状であり、滑らかな状態で簡単に連結固定することができ、また、直線部４２から円弧部４１にかけて緩やかに変化していくので、全体として角張った個所が無く滑らかな形状となっている。
【００３５】
本発明による手摺装置の他の実施形態を図１６及び図１７を参照して説明する。図１６及び図１７は、それぞれ支持アームの形状を変更した他の実施形態の正面図であり、図１６に示す手摺装置１は、支持アーム３０と手摺棒４０との連結において、手摺棒４０の両端部に連結アーム３１の先端を固定したものであり、連結アーム３１間の角度も大きくなっている。図１７に示す手摺装置１は、連結アーム３１を直線状に構成したものである。なお、これらの実施形態において、保持ブラケット５０及びジョイントブラケット６０は、前記実施形態に用いた構造と同様の構造を採用することができる。
【図面の簡単な説明】
【００３６】
【図１】本発明による手摺装置の一実施形態の正面図
【図２】本発明による手摺装置の一実施形態の背面図
【図３】本発明による手摺装置の一実施形態の左側面図
【図４】本発明による手摺装置の一実施形態の支柱に設けられる保持ブラケットの正面図
【図５】本発明による手摺装置の一実施形態の支柱に設けられる保持ブラケットの背面図
【図６】本発明による手摺装置の一実施形態の支柱に設けられる保持ブラケットの右側面図
【図７】本発明による手摺装置の一実施形態の支柱に設けられる保持ブラケットの平面図
【図８】本発明による手摺装置の一実施形態の支持アームに設けられるジョイントブラケットの正面図
【図９】本発明による手摺装置の一実施形態の支持アームに設けられるジョイントブラケットの右側面図
【図１０】本発明による手摺装置の一実施形態の支持アームに設けられるジョイントブラケットの平面図
【図１１】保持ブラケットとジョイントブラケットとを嵌合させた状態を示す図
【図１２】本発明による手摺装置の一実施形態の手摺棒用ブラケットの正面図
【図１３】本発明による手摺装置の一実施形態の手摺棒用ブラケットの平面図
【図１４】支持アームの角度を変更した例を示す図
【図１５】手摺装置を路面用手摺装置と連結した状態を示す図
【図１６】支持アームの形状を変更した他の実施形態の正面図
【図１７】支持アームの形状を変更した他の実施形態の正面図
【符号の説明】
【００３７】
１    手摺装置
２０    支柱
３０    支持アーム
３１    連結アーム
４０    手摺棒
４１    円弧状部
４２    直線状部
５０    保持ブラケット
５５    保持片
５６ａ  ナット用孔
５６ｂ  ボルト用孔
５７ａ  螺子孔
５７ｂ  螺子用貫通孔
６０    ジョイントブラケット
６１    連結管部
６２    ジョイント片
６３    ボルト用貫通孔（回転軸用貫通孔）
６４    螺子用貫通孔（角度調節用貫通孔）
７０    手摺棒用ブラケット
【図１】
0004974911.tif 000002
【図２】
0004974911.tif 000003
【図３】
0004974911.tif 000004
【図４】
0004974911.tif 000005
【図５】
0004974911.tif 000006
【図６】
0004974911.tif 000007
【図７】
0004974911.tif 000008
【図８】
0004974911.tif 000009
【図９】
0004974911.tif 000010
【図１０】
0004974911.tif 000011
【図１１】
0004974911.tif 000012
【図１２】
0004974911.tif 000013
【図１３】
0004974911.tif 000014
【図１４】
0004974911.tif 000015
【図１５】
0004974911.tif 000016
【図１６】
0004974911.tif 000017
【図１７】
0004974911.tif 000018